(57)【特許請求の範囲】
【請求項１】
マイコン式ガスメータに、ガスセンサ部と制御手段を備える警報器を接続し、前記ガスセンサ部でガス漏れを検知したとき前記制御手段でガス漏れ警報を発するとともに前記ガスメータの遮断弁を閉止するガス漏れ警報装置において、前記制御手段が、前記警報器を前記ガスメータに接続したとき、そのガスメータからの電源アンサ要求信号を所定回数検出しなければ、前記警報器を当初設定したＧ型ガスメータ対応のままとし、電源アンサ要求信号を所定回数検出したならば前記警報器をＳ型ガスメータ対応に切り換えるものである、ことを特徴とする、ガス漏れ警報装置。
【発明の詳細な説明】
【０００１】
【発明の属する技術分野】
この発明は、マイコン式ガスメータに警報器を接続し、ガス漏れを検知したときその警報器でガス漏れ警報を発するガス漏れ警報装置に関する。
【０００２】
【従来の技術】
従来、たとえば一般家庭では、通常、マイコン式ガスメータとして、Ｇ型マイコン式ガスメータ（Ｇ型ガスメータ）を設置するのが一般的であった。
【０００３】
ところが、最近、このＧ型ガスメータにない幾つかの安全確認機能をもった新型のマイコン式ガスメータとして、所謂Ｓ型ガスメータが普及し始め、そのため、そのＳ型ガスメータに警報器を接続して使用する一般家庭も増えている。
【０００４】
したがって、現在では、マイコン式ガスメータとして、そのような新旧２種類のものが混在して一般家庭などに設置され、そのため、従来のガス漏れ警報装置では、警報器を接続するガスメータの種類に適応して作動できるように警報器に作動切換機能をもたせる必要があった。
【０００５】
そこで、従来のガス漏れ警報装置では、たとえば図４に概略的に示すとおり、ガスメータ１に接続して使用する警報器２のＣＰＵ３に切換スイッチ４を接続して設け、ガスメータ１がＳ型ガスメータの場合に、切換スイッチ４を手動操作して接点４ａに接触させ、当初のＧ型ガスメータ対応からＳ型ガスメータ対応に切り換えるようにしていた。
【０００６】
【発明が解決しようとする課題】
ところが、従来では、たとえば一般家庭に設置したマイコン式ガスメータ１が古いＧ型か或いは新しいＳ型か否かを一戸ごとにいちいち確認してから、切換スイッチ４を手動で操作する必要があるため、面倒であり、場合によっては切換操作を間違ったり、忘れたりするおそれがある。また、そもそも切換スイッチ４を必要とする分だけコストアップとなるという課題があった。
【０００７】
【課題を解決するための手段】
そのため、請求項１に記載の発明は、たとえば以下の図示実施の形態に示すとおり、マイコン式ガスメータ１０に、ガスセンサ部１３とＣＰＵ１２のような制御手段を備える警報器１１を接続し、前記ガスセンサ部１３でガス漏れを検知したとき前記制御手段でガス漏れ警報を発するとともに前記ガスメータ１０の遮断弁を閉止するガス漏れ警報装置において、前記制御手段が、前記警報器１１を前記ガスメータ１０に接続したとき、そのガスメータ１０からの電源アンサ要求信号を所定回数検出しなければ、前記警報器１１を当初設定したＧ型ガスメータ対応のままとし、電源アンサ要求信号を所定回数検出したならば前記警報器１１をＳ型ガスメータ対応に切り換えるものである、ことを特徴とする。
【０００８】
【発明の実施の形態】
以下、図面を参照しつつ、この発明の実施の形態について説明する。
図１は、請求項１に記載の発明の一実施の形態であるガス漏れ警報装置の概略構成図である。そのガス漏れ警報装置は、図中符号１０で示すマイコン式ガスメータに警報器１１を接続して構成してなる。
【０００９】
マイコン式ガスメータ１０は、上述した従来のものと同様のもので、一般家庭などに設置して使用するＧ型ガスメータとＳ型ガスメータとがある。
【００１０】
一方、警報器１１は、その全体を制御するＣＰＵ１２を備え、そのＣＰＵ１２に、ガスセンサ部１３とともにスピーカ１４およびＬＥＤ１５を接続する。なお、図中符号１６は、電源部であり、それに電源プラグ１７を接続してなる。
【００１１】
しかして、この警報器１１を、ガスメータ１０に接続して設置し、電源プラグ１７をコンセントに差し込んで使用する。そして、警報器１１のガスセンサ部１３でガス漏れを検知したとき、ＣＰＵ１２からガス漏れ信号を出力し、スピーカ１４から音声メッセージを発声し、ＬＥＤ１５を点滅してガス漏れ警報を発するとともに、ガスメータ１０の図示しない遮断弁を閉止する。
【００１２】
ところで、上述したガス漏れ警報装置において、ガスメータ１０がＳ型ガスメータであると、そのＳ型ガスメータは、他方のＧ型ガスメータでは出力しない電源アンサ要求信号を出力する。たとえば図２（ａ）に示すような電源アンサ要求信号を、不図示のメータＣＰＵから定期的に出力して警報器１１のＣＰＵ１２へ送信する。一方、警報器１１は、電源アンサ要求信号を検出すると、同図（ｂ）に示すような電源アンサ応答信号を出力してＳ型ガスメータの前記メータＣＰＵへ応答する。そして、Ｓ型ガスメータでは、そのような電源アンサ応答信号を検出したとき、警報器１１に電源が投入され正常な動作状態にあることを検知できるようにしてなる。
【００１３】
そこで、この発明のガス漏れ警報装置では、Ｓ型ガスメータがＧ型ガスメータと異なり、特に電源アンサ要求信号を出力することに着目し、警報器１１を、当初はＧ型ガスメータ対応に設定しておいて、警報器１１をガスメータ１０に接続したとき、そのガスメータ１０側から電源アンサ要求信号を所定回数検出しなければ、ガスメータ１０の種類をＧ型と判断し、警報器１１をＧ型ガスメータ対応に設定したままとする。一方、電源アンサ要求信号を所定回数検出したならば、Ｓ型と判断して警報器１１をＳ型ガスメータ対応に自動的に切り換えるようにする。
【００１４】
以下、そのようにＣＰＵ１２で行う警報器１１の動作切換制御について、図３に示すフローチャートに従って具体的に説明する。
【００１５】
まず、警報器１１は、その使用当初からＧ型ガスメータ対応に設定してある。つまり、ステップＳ１にて示すように、ＣＰＵ１２のＳ設定カウンタとフラグを「０」にしてある。
【００１６】
次いで、ステップＳ２にて、所定時間内にガスメータ１０側から電源アンサ要求信号を検出するか否かをチェックする。そして、電源アンサ要求信号を検出しなかったときは、ステップＳ３にて、警報器１１を接続したガスメータ１０の種類をＧ型と判断し、Ｓ設定フラグを「０」にしたままステップＳ８のメインルーチンへと進み、Ｇ型ガスメータ対応の所定プログラムに従って警報器１１を動作させる。しかる後、再びステップＳ２へと戻る。
【００１７】
一方、ステップＳ２にて、電源アンサ要求信号を検出したときは、ステップＳ４に進み、Ｓ設定フラグが「１」になっているか否かを判断し、「１」になっていないときは、次のステップ５にて、電源アンサ要求信号の検出回数をカウントし、その検出回数に応じてＳ設定カウンタを１つずつ加算する。そして、ステップＳ６にて、そのカウンタ値が３に達したか否かをチェックし、未だ３に達していないときは、Ｓ設定フラグが「０」のＧ設定のままメインルーチンへ進み、警報器１１をＧ型対応の所定プログラムに従って動作させる。
【００１８】
他方、ステップＳ６にて、カウンタ値が３に達したときは、次のステップＳ７にて、警報器１１を接続したガスメータ１０の種類を、初めてＳ型と判断し、Ｓ設定フラグを「１」にする。そして、次のメインルーチンにて警報器１１をＧ型ガスメータ対応からＳ型ガスメータ対応に切り換え、そのＳ型対応の所定プログラムに従って警報器１１を動作させる。
【００１９】
また、前記ステップＳ４にて、Ｓ設定フラグが「１」のＳ型設定に既に切り換わっている場合は、ステップＳ８のメインルーチンにて警報器１１をそのままＳ型対応の所定プログラムに従って動作させる。以後、上述した動作を繰り返し行うことにより、接続したガスメータ１０の種類に応じて警報器１１が動作するように制御する。
【００２０】
なお、上述した実施の形態では、電源アンサ要求信号をＣＰＵ１２にて３回検出したときに、警報器１１をＳ型ガスメータ対応に切り換えた。しかし、その電源アンサ要求信号を１回検出したときに切り換えるようにしてもよいし、反対に３回以上検出して初めて切り換えるようにしてもよい。
【００２１】
【発明の効果】
したがって、請求項１に記載の発明によれば、警報器を接続したマイコン式ガスメータの種類を、一方のＳ型ガスメータに特有の電源アンサ要求信号を警報器が所定回数検出したか否かによって判別し、その判別結果に基づき警報器のガスメータ対応を自動的に切り換えるようにするから、従来のような切換スイッチが不要となり、その結果、切換スイッチの分だけコストを下げることができ、また、切換スイッチの面倒な操作もなくなるため、その切換操作を間違ったり、忘れたりする弊害も解消することができる。
【図面の簡単な説明】
【図１】請求項１に記載の発明の一実施の形態であるガス漏れ警報装置を示す概略構成図である。
【図２】（ａ）はそのガス漏れ警報装置に備えるＳ型ガスメータ側から出力する電源アンサ要求信号の波形図であり、（ｂ）は警報器側から出力する電源アンサ応答信号の波形図である。
【図３】その警報器の動作切換制御を説明するフローチャートである。
【図４】従来のガス漏れ警報装置の概略構成図である。
【符号の説明】
１０  ガスメータ
１１  警報器
１２  ＣＰＵ（制御手段）
【図１】
0003678380.tif 000002
【図２】
0003678380.tif 000003
【図３】
0003678380.tif 000004
【図４】
0003678380.tif 000005